(57)【要約】【課題】要素の重複に起因して過剰な補正が生じることや、圧縮と伸張が繰り返えされることによる画質への影響を抑止する番組再生方法及び記録再生装置を提供する。【解決手段】実施形態において、記録再生装置は、検出部と、取得部と、出力部を具備する。検出部は、表示装置が接続したことを双方向インタフェースにより検出する。取得部は、接続した表示装置に固有の情報を双方向インタフェースにより取得する。出力部は、接続した表示装置が限定された機器相互間で特定の仕様が確保されている機器であり、かつ「特定条件」が存在することを検出した場合、出力画像信号を「特定条件」に従い、固定して出力する。【選択図】図１
2013051525.tif 000002
【特許請求の範囲】
【請求項１】
表示装置が接続したことを双方向インタフェースにより検出する検出部と、
接続した表示装置に固有の情報を双方向インタフェースにより取得する取得部と、
接続した表示装置が限定された機器相互間で特定の仕様が確保されている機器であり、かつ「特定条件」が存在することを検出した場合、出力画像信号を「特定条件」に従い、固定して出力する出力部と、
を具備する電子機器。
【請求項２】
前記双方向インタフェースは、ＨＤＭＩ（High-definition Digital Media Interface）−ＣＥＣ（Consumer Electronics Control）規格に準拠する請求項１記載の電子機器。
【請求項３】
前記双方向インタフェースを通じて「特定条件」が存在することを検出した場合、出力画像信号に対する最終段の変換処理を非実施とする分岐部をさらに具備する請求項２記載の電子機器。
【請求項４】
前記取得部が取得する「特定条件」は、表示装置側で設定される請求項１〜３のいずれかに記載の電子機器。
【請求項５】
前記分岐部は、ＹＣｂＣｒ信号を重複する変換処理行わず前記出力部に出力する請求項４記載の電子機器。
【請求項６】
前記分岐部は、ＹＣｂＣｒ信号を重複する変換処理行わず前記出力部に出力したことを接続される表示装置に報知する報知部をさらに具備する請求項４または５記載の電子機器。
【請求項７】
前記報知部は、ＨＤＭＩ（High-definition Digital Media Interface）−ＣＥＣ（Consumer Electronics Control）規格に準拠する請求項６記載の電子機器。
【請求項８】
双方向インタフェースを介して供給される入力画像信号を受け付ける入力部と、
前記入力部が受け付けた入力画像信号を、所定の形式に変換する第１の変換部と、
前記第１の変換部の出力を表示部による表示のために変換する第２の変換部と、
前記入力部が受け付ける入力画像信号の供給元が限定された機器相互間で特定の仕様が確保されている機器で、かつ「特定条件」が存在することを検出した場合、前記入力部が受けつけた前記入力画像信号を重複する変換処理行わず前記第２の変換部に供給する分岐部と、
を具備する電子機器。
【請求項９】
前記双方向インタフェースは、ＨＤＭＩ（High-definition Digital Media Interface）−ＣＥＣ（Consumer Electronics Control）規格に準拠する請求項８記載の電子機器。
【請求項１０】
前記入力部は、前記入力部が受けつけた前記入力画像信号が重複する変換処理行わず前記第２の変換部に入力すべき画像信号であることを、前記双方向インタフェースを通じて把握する請求項９記載の電子機器。
【請求項１１】
前記入力部は、前記入力画像信号を、重複する変換処理行わず受け付ける前記第２の変換部の存在及びその処理を実現する動作モードを設定可能であることを、前記双方向インタフェースを介して前記入力画像信号の供給元に通知できる請求項９または１０記載の電子機器。
【請求項１２】
表示装置の映像表示能力を取得し、
表示装置が限定された機器相互間で特定の仕様が確保されていることを検知し、
表示装置に設定可能が「特定条件」を用いる動作モードが設定されたことを検出し、
出力画像信号に対する最終段の変換処理を非実施として、表示装置に出力する映像再生方法。
【請求項１３】
「特定条件」は、表示装置において設定される請求項１２記載の映像再生方法。
【請求項１４】
入力画像信号が双方向通信インタフェースを通じて供給されていることを検出し、
入力画像信号供給元が同一ベンダー内の装置であることを双方向通信インタフェースにより検出し、
「特定条件」の設定が可能であり、同設定が設定されたことを双方向通信インタフェースにより、入力画像信号供給元に通知し、
入力画像信号供給元に、直接ＲＧＢ信号に変換できる入力画像信号の供給を要求する映像再生方法。
【請求項１５】
「特定条件」の設定を、指示入力に従い受け付ける請求項１３記載の映像再生方法。
【発明の詳細な説明】
【技術分野】
【０００１】
本発明の実施の形態は、記録媒体などに記録された映像情報を再生する映像再生方法及び記録再生装置と映像表示装置に関する。
【背景技術】
【０００２】
放送局（放送事業者）あるいは配信事業者が供給する番組またはコンテンツを受信して再生する装置としては、表示装置（ディスプレイ）が一体に用意されるテレビジョン受信装置と、番組（コンテンツ）の録画と再生が可能な記録再生装置（レコーダ）と、が広く利用されている。
【先行技術文献】
【特許文献】
【０００３】
【特許文献１】特開２０１０−８１５１０号公報
【発明の概要】
【発明が解決しようとする課題】
【０００４】
テレビジョン受信装置及び記録再生装置は、それぞれの装置が、画像情報を圧縮あるいは伸張する圧縮／伸張部や、再生出力（映像）の画質を高める画像処理部等を、含む。
【０００５】
反面、個々の装置から外部へ出力する画像信号は、他の装置の画像処理部の特性が不明であることにより、多くの装置が最小限備えることが決められている特性を想定した一定条件の変換（処理）を伴う。
【０００６】
従って、装置間で出入力する画像信号においては、前段の装置による処理と後段の装置による処理が重複し、補正等が不所望に強調されることがある。なお、前段の装置による圧縮処理（一定条件の変換処理）時に画像情報の一部が失われた場合、後段の装置における伸張処理（一定条件の変換処理）によって復元することは、困難である。
【０００７】
本発明は、個々の装置が含む画像処理部等において、要素の重複に起因して過剰な補正が生じることや、圧縮と伸張が繰り返えされることによる画質への影響を抑止する記録再生装置と映像表示装置の映像再生方法を提供するものである。
【課題を解決するための手段】
【０００８】
実施形態によれば、記録再生装置は、検出部と、取得部と、出力部を具備する。検出部は、表示装置が接続したことを双方向インタフェースにより検出する。取得部は、接続した表示装置に固有の情報を双方向インタフェースにより取得する。出力部は、接続した表示装置が限定された機器相互間で特定の仕様が確保されている機器であり、かつ「特定条件」が存在することを検出した場合、出力画像信号を「特定条件」に従い、固定して出力する。
【図面の簡単な説明】
【０００９】
【図１】実施形態を適用する記録再生装置及び映像表示装置の一例を示す図。
【図２Ａ】実施形態を適用する映像表示装置側のリンク設定画面表示の一例を示す図。
【図２Ｂ】実施形態を適用する映像表示装置側のリンク設定画面表示の一例を示す図。
【図３】実施形態を適用する記録再生装置と映像再生装置との間の情報の受け渡しの一例を示す図。
【図４】実施形態を適用する記録再生装置側の動作の一例を示す図。
【図５】実施形態を適用する映像表示装置側の動作の一例を示す図。
【図６】実施形態を適用する記録再生装置の一例を示す図。
【図７】実施形態を適用する映像表示装置の一例を示す図。
【発明を実施するための形態】
【００１０】
以下、実施の形態について図面を参照して説明する。
【００１１】
図１は、実施形態を適用する記録再生装置とその記録再生装置に接続する映像表示装置の一例を示す。
【００１２】
記録再生装置（以下、レコーダ装置と呼称する）１０１は、双方向通信インタフェース（ケーブル）、例えばＨＤＭＩ（High-definition Digital Media Interface）規格に準拠したケーブル（以下、ＨＤＭＩケーブルと呼称する）２０１により、映像表示装置、例えばテレビジョン受信装置（以下、テレビ装置と呼称する）３０１と接続する。
【００１３】
レコーダ装置（ソース機器と称する場合がある）１０１は、テレビ装置３０１に、映像信号、音声信号及び制御信号を出力するとともにＨＤＭＩケーブル２０１を通じてテレビ装置３０１側から取得する情報を受け付けるＨＤＭＩインタフェース部１６１を、含む。
【００１４】
テレビ装置（シンク機器と称する場合がある）３０１は、レコーダ装置１０１が出力する映像信号、音声信号及び制御信号を、ＨＤＭＩケーブル２０１を通じて受け付けるＨＤＭＩインタフェース部３２１を、含む。
【００１５】
ＨＤＭＩケーブル２０１は、バージョン１．２において制定されたＣＥＣ（Consumer Electronics Control）規格（以下、単にＨＤＭＩ−ＣＥＣと呼称する）に準拠している。なお、ＨＤＭＩケーブル（ＨＤＭＩ−ＣＥＣ）２０１により接続されたレコーダ装置１０１とテレビ装置３０１においては、レコーダ装置１０１側のＨＤＭＩインタフェース部１６１において、テレビ装置３０１側のＨＤＭＩインタフェース部３２１が含むＥＤＩＤ（Extended Display Identification Data）を読み取り、接続相手先（テレビ装置３０１）が提供できる機能を取得することで、レコーダ装置１０１とテレビ装置３０１との間の連動機能を提供できる。
【００１６】
また、上述のレコーダ装置１０１及びテレビ装置３０１は、所定の規格、例えばビデオ（Video、動画）については、例えばＭＰＥＧ（Moving Picture Experts Group）−１、−２、−４（Ｈ．２６４／ＡＶＣ）、オーディオ（Audio、音声／音楽）については、例えばＭＰ３（MPEG Audio layer-3）、ＡＣ３（Audio Code number 3）、リニアＰＣＭ（Pulse Coded Module）、静止画については、例えばＪＰＥＧ（Joint Photographic Experts Group）、等に従って符号化されたデジタル情報（番組）を処理することができるものとする。
【００１７】
図１に示すレコーダ装置１０１はまた、映像（ビデオ）及び音声（オーディオ）を再生する、例えばプレーヤ装置やゲーム装置、あるいはビデオカメラ等であってもよい。もちろん、パーソナルコンピュータ（ＰＣ）、ＰＣに接続可能なディスクドライブ装置、あるいは自動車等に搭載またはユーザが携帯することのできるナビゲーション装置であってもよい。
【００１８】
一方、テレビ装置３０１は、例えばモニタ装置（ディスプレイ）とＳＴＢ（Set Top Box、広義には外部チューナ装置と解され、狭義にはコンテンツ配信事業者が設置する分岐器等を示す）が接続されたような、放送局（放送事業者）あるいはコンテンツ配信事業者が供給する番組またはコンテンツを受信して再生する装置であってもよい。
【００１９】
なお、以下に説明するさまざまな要素や構成は、ハードウエアで実現するものであってもよいし、マイクロコンピュータ（処理装置，ＣＰＵ）、等を用いてソフトウエアで実現するものであってもよい。
【００２０】
ＨＤＭＩ−ＣＥＣ（ＨＤＭＩケーブル）２０１は、信号線の配列等の説明は省略するがＣＥＣ規格に準拠するＣＥＣ−ラインを含み、相互に接続する機器において、上述の連動機能、例えばユーザがレコーダ装置１０１に対してコンテンツ（番組またはプログラム）すなわち映像信号及び音声信号を再生させる操作をした場合に、テレビ装置３０１を起動し、レコーダ装置１０１が接続されている入力に切り替えを行うワンタッチプレイ（One Touch Play）や、例えばユーザがテレビ装置３０１側のリモコン（リモートコントロール端末）を操作して出力させた制御コマンドを、レコーダ装置１０１に伝えるパススルー（Remote Control Pass Through）等を、実現できる。
【００２１】
レコーダ装置１０１はまた、制御ブロック（コントローラ）１１１、入力部１２１、第１の記録再生モジュール１３１、第２の記録再生モジュール１４１、及び信号処理モジュール１５１を含む。
【００２２】
なお、信号処理モジュール１５１の出力端が上述したＨＤＭＩインタフェース部１６１と接続される。
【００２３】
制御ブロック（コントローラ）１１１は、各部／要素の動作を制御するとともに、ＨＤＭＩインタフェース部１６１を通じて接続相手先すなわちテレビ装置３０１が提供する情報を取得する。
【００２４】
入力部１２１は、例えばチューナ部及び外部入力部を含み、放送により、あるいはネットワークを経由して供給される番組を受けつける。
【００２５】
第１の記録再生モジュール１３１は、移動可能な記録媒体、例えば光ディスク（ＤＶＤ（Digital Versatile Disk）規格あるいはブルーレイ（Blu-ray Disk）規格）、もしくはＳＤ（Secure Digital）メモリカードすなわち半導体メモリ等に代表され、レコーダ装置１０１から取り外すことのできる記録媒体に情報（映像及び音声（オーディオ））を記録し、あるいは記録媒体から情報を読み出すことができる。
【００２６】
第２の記録再生モジュール１４１は、例えばＨＤＤ（Hard Disk Drive，大容量記憶装置）に代表され、レコーダ装置１０１と一体に設けられ、情報（映像及び音声（オーディオ））を記録し、あるいは記録媒体から情報を読み出すことができる。
【００２７】
信号処理モジュール１５１は、入力画像処理部１５３、画像処理・変換部１５５、出力画像処理部１５７、及びセレクタ１５９、を含む。
【００２８】
入力画像処理部１５３は、第１の記録再生モジュール１３１または第２の記録再生モジュール１４１が入力するＢｔ（ＩＴＵ，International Telecommunication Union が制定する Broadcasting service（television））７０９（ＹＰｂＰｒ）信号（入力画像信号）を受け付け、画像処理・変換部１５５に供給する。
【００２９】
画像処理・変換部１５５は、入力画像処理部１５３からのＢｔ７０９（ＹＰｂＰｒ）信号を、Ｂｔ６０１（ＹＣｂＣｒ）信号に変換する。
【００３０】
出力画像処理部１５７は、画像処理・変換部１５５が出力するＢｔ６０１（ＹＣｂＣｒ）信号について、後段または外部に位置される表示装置による画像表示のための出力処理として、再びＢｔ７０９（ＹＰｂＰｒ）信号に変換する。
【００３１】
セレクタ１５９は、後段または外部に位置される表示装置が、以下に説明する特定条件を満たす場合、画像処理・変換部１５５が出力するＢｔ６０１（ＹＣｂＣｒ）信号をそのまま出力するための切り換えを行う。
【００３２】
なお、ＹＣｂ（Ｐｂ）Ｃｒ（Ｐｒ）（４：２：２）は、一般に人間の目が色の変化よりも明るさの変化に敏感であることに着目し、ＹＣｂ（Ｐｂ）Ｃｒ（Ｐｒ）（４：４：４）に比較して水平画素の色差成分（Ｃｂ（Ｐｂ）Ｃｒ（Ｐｒ））を、１／２に間引く（減らす）ことであり、映像記録において、広く利用されている。なお、ＹＣｂＣｒ（４：２：２）をＳＤ（Standard Definition，１９２０画素×１０８０画素未満）映像信号、ＹＰｂＰｒ（４：４：４）をＨＤ（High Definition，１９２０画素×１０８０画素）映像信号とする区分も広く利用されている。
【００３３】
画像処理・変換部１５５はまた、例えばＩＰ変換処理、解像度変換（超解像処理）あるいはスケーリング処理等を行う。
【００３４】
ＩＰ変換処理は、インタレース信号からプログレッシブ（ノンインターレース）信号への変換である。例えば、１０８０ｉのようなインタレース信号を１０８０ｐプログレッシブ信号へ変換する。
【００３５】
解像度変換（超解像処理）は、例えば複数の中解像度フレームのそれぞれに対してフレーム中の注目画素を含む注目画像領域中の画素値の変化パターンに最も近い複数の注目画像領域に対応する複数の対応点を基準フレームの中から選択し、対応点での輝度の標本値を対応点に対応している注目画素の画素値に設定し、複数の標本値の大きさと複数の対応点の配置とに基づいて、基準フレームの画素数よりも多い画素数の高解像度フレームであって基準フレームに対応する高解像度フレームの画素値を算出すること（特開２００７−３１０８３７号公報記載）により、低解像度の画像信号から本来の画素値を推定して画素を増やす画像処理である。
【００３６】
なお、超解像処理としては、例えば同一フレーム画像内の自己合同位置探索を利用して、中解像度フレームの探索領域の各画素の誤差を比較して最小となる第１の画素位置を算出し、第１の画素位置、及びこの第１の誤差、並びに第１の画素の周辺の第２の画素位置、及びこの第２の誤差に基づいて、探索領域のなかで誤差が最小となる位置を小数精度で算出し、この位置を終点、及び注目画素を始点とする小数精度ベクトルを算出し、この小数精度ベクトルを用いて、探索領域に含まれない画面上の画素を終点とする小数精度ベクトルの外挿ベクトルを算出し、小数精度ベクトル、外挿ベクトル、及び画像信号から取得された画素値に基づいて、画像信号に含まれる画素数よりも多い画素数の高解像度画像の画素値を算出すること（特開２００８−９８８０３号公報記載）も可能である。
【００３７】
また、スケーリング処理は、入力映像（第１の記録再生モジュール１２１または第２の記録再生モジュール１３１からの出力）である１４４０画素×１０８０画素（地上デジタル放送の映像）や７２０画素×４８０画素（ＤＶＤ規格の映像）を、表示装置の表示能力（最大で、現行は１９２０画素×１０８０画素）にあわせる処理を示す。
【００３８】
テレビ装置３０１は、ＨＤＭＩ−ＣＥＣ（ＨＤＭＩケーブル）２０１と接続するＨＤＭＩインタフェース部３２１により入力される入力画像信号（Ｂｔ７０９（ＹＰｂＰｒ）信号）を受けつけ、後段の表示装置３５１に映像出力を出力する信号処理モジュール３３１及び制御ブロック３１１を含む。なお、制御ブロック３１１には、図示しないリモートコントローラ（リモコン端末）からの制御信号（制御指示）を受け付けるリモコン入力部３４１が接続する。
【００３９】
信号処理モジュール３３１は、セレクタ３３３、入力画像処理部３３５、画像処理・変換部３３７及び出力部３３９を含む。なお、出力部３３９は、例えばＯＳＤ（On Screen Display、オンスクリーンディスプレイ）処理部や、動画改善回路等、表示装置３５１が画像を表示するために有益な画像処理を施す出力画像処理部等を含む。
【００４０】
入力画像処理部３３５は、ＨＤＭＩインタフェース部３２１を通じて入力される画像信号（Ｂｔ７０９（ＹＰｂＰｒ））を、Ｂｔ６０１（ＹＣｂＣｒ）に変換する。なお、入力画像処理部３３５に入力される画像信号が以下に説明する特定条件を満たし、Ｂｔ６０１（ＹＣｂＣｒ）信号として入力される場合、特定条件に従うセレクタ３３３の切り換えにより、入力画像処理部３３５による入力処理がパス（非入力処理）に切り換えられる。
【００４１】
画像処理・変換部３３７は、セレクタ３３３の切り換えにより直接入力されるＢｔ６０１（ＹＣｂＣｒ）信号、または入力画像処理部３３５によりＢｔ７０９（ＹＰｂＰｒ））からＢｔ６０１（ＹＣｂＣｒ）に変換されたＹＣｂＣｒ信号を、表示装置３５１に表示するためＲＧＢ信号に変換する。また、画像処理・変換部３３７は、例えばＩＰ変換処理、解像度変換（超解像処理）あるいはスケーリング処理等を行う。
【００４２】
ＩＰ変換処理は、インタレース信号からプログレッシブ（ノンインターレース）信号への変換である。例えば、１０８０ｉのようなインタレース信号を１０８０ｐプログレッシブ信号へ変換する。
【００４３】
解像度変換（超解像処理）は、レコーダ装置１０１の変換処理部１５５と同様、例えば複数の中解像度フレームのそれぞれに対してフレーム中の注目画素を含む注目画像領域中の画素値の変化パターンに最も近い複数の注目画像領域に対応する複数の対応点を基準フレームの中から選択し、対応点での輝度の標本値を対応点に対応している注目画素の画素値に設定し、複数の標本値の大きさと複数の対応点の配置とに基づいて、基準フレームの画素数よりも多い画素数の高解像度フレームであって基準フレームに対応する高解像度フレームの画素値を算出することにより、低解像度の画像信号から本来の画素値を推定して画素を増やす画像処理である。なお、超解像処理としては、例えば同一フレーム画像内の自己合同位置探索を利用して、中解像度フレームの探索領域の各画素の誤差を比較して最小となる第１の画素位置を算出し、第１の画素位置、及びこの第１の誤差、並びに第１の画素の周辺の第２の画素位置、及びこの第２の誤差に基づいて、探索領域のなかで誤差が最小となる位置を小数精度で算出し、この位置を終点、及び注目画素を始点とする小数精度ベクトルを算出し、この小数精度ベクトルを用いて、探索領域に含まれない画面上の画素を終点とする小数精度ベクトルの外挿ベクトルを算出し、小数精度ベクトル、外挿ベクトル、及び画像信号から取得された画素値に基づいて、画像信号に含まれる画素数よりも多い画素数の高解像度画像の画素値を算出することも可能である。
【００４４】
また、スケーリング処理は、入力映像（第１の記録再生モジュール１３１または第２の記録再生モジュール１４１からの出力）である１４４０画素×１０８０画素（地上デジタル放送の映像）や７２０画素×４８０画素（ＤＶＤ規格の映像）を、表示装置の表示能力（最大で、現行は１９２０画素×１０８０画素）にあわせる処理を示す。
【００４５】
図２Ａ及び図２Ｂに、図１が示すレコーダ装置とテレビ装置との間の「特定条件」の設定及び設定状態の確認について説明する。
【００４６】
図１の接続におけるレコーダ装置及びテレビ装置が同一ベンダー（Vendor）に対応する場合、両者間で個別に設定することにより、図２Ｂに示すような特定条件、例えば「わが家リンク」のようなベンダーに固有の取り決めを実行できる。なお、ベンダーは、供給元及び提携された関連のあるもしくは仕様の統一や関連づけが約束されている製造元内で利用可能な、ＨＤＭＩ−ＣＥＣ規格で規定されているベンダーコマンド（Vendor Specific Commands）を含み、装置の製造元が用意する固有の情報、例えばモデル名、内装するアプリケーションのバージョン情報等をソース機器（レコーダ装置）がシンク機器（テレビ装置）のＥＤＩＤ（Extended Display Identification Data）を読取ることにより、取得できる。
【００４７】
図１に示した通り、ＨＤＭＩケーブル２０１により接続するレコーダ装置１０１及びテレビ装置３０１は、実質的に同一の機能を有する画像処理・変換部１５５（レコーダ装置１０１側）及び画像処理・変換部３３７（テレビ装置３０１側）を、それぞれ含む。
【００４８】
すなわち、レコーダ装置１０１の画像処理・変換部１５５の出力（Ｂｔ６０１（ＹＣｂＣｒ））信号は、ＨＤＭＩインタフェース部１６１、ＨＤＭＩケーブル２０１、ＨＤＭＩインタフェース部３２１を通じてテレビ装置３０１の画像処理・変換部３３７に入力される。
【００４９】
この場合、レコーダ装置１０１側の画像処理・変換部１５５の出力（Ｂｔ６０１（ＹＣｂＣｒ））信号は、出力画像処理部１５７により、一旦Ｂｔ７０９（ＹＰｂＰｒ）信号に変換され、テレビ装置３０１側の入力画像処理部３３５において、Ｂｔ７０９（ＹＰｂＰｒ）信号からＢｔ６０１（ＹＣｂＣｒ）信号に変換される。
【００５０】
しかしながら、画像情報の圧縮と伸張あるいは画像処理の重複は、過剰な補正を生じることや、画像情報の一部の欠損等、画質を劣化する要因を含む。従って、レコーダ装置及びテレビ装置が同一ベンダー（Vendor）であり、特定条件を満たすことが明らかである場合（特定条件を満たすことを検出できた場合）、画像情報の圧縮と伸張あるいは画像処理のうち、重複する処理をパス（非実行）とすることで、表示装置３５１（テレビ装置３０１）が表示する再生映像の品位が劣化することを抑止できる。
【００５１】
従って、ユーザのリモコン端末の操作により、図２Ａに示すメニュー画面が起動し、映像表示４０１中に表示されるメニュー表示部４１５から「設定」が選択され、あるいはリモコン端末の「青」ボタンに対応する『青』ボタン表示４１１、「赤」ボタンに対応する『赤』ボタン表示４１２、「緑」ボタンに対応する『緑』ボタン表示４１３または「黄」ボタンに対応する『黄』ボタン表示４１４の４つのいづれかに対応する指示として、「設定」が割り当てられている場合に、そのボタンの操作により、図２Ｂに示す、リンク確認画面が表示される。
【００５２】
図２Ｂは、リンク確認画面の表示例であり、映像表示４０１に重ねて、あるいはＯＳＤ処理により映像表示４０１の輝度が低減された状態で、リンク名を示すリンク表示４２１が表示された状態を示す。なお、同表示は、リンクの設定時においても同様に表示され、リンク先機器名表示欄４２３に表示される接続相手先名、それぞれの接続相手先名と対応してリンク設定の有無を示すリンク表示欄４２５、及びリンク設定の有無に応じて『・』または『空白』のいずれかを表示する設定表示領域４２７、を含む。
【００５３】
なお、図２Ｂが示す「わが家リンク」が上述した特定条件に相当するリンク名であり、レコーダ装置１０１及びテレビ装置３０１が同一ベンダー（Vendor）内の機器であって、かつレコーダ装置１０１側の画像処理・変換部１５５の出力（Ｂｔ６０１（ＹＣｂＣｒ））信号を、テレビ装置３０１側の画像処理・変換部３３７にＢｔ６０１（ＹＣｂＣｒ）入力することで、上述の再生映像の品位が劣化することを抑止できる「特定条件」の設定である、こととする。
【００５４】
従って、図２Ｂに示す通り、同一ベンダー（Vendor）内の機器であって、「特定条件」が設定されていることが確認できる場合、または「特定条件」を設定した場合には、レコーダ装置１０１側のセレクタ１５９及びテレビ装置３０１側のセレクタ３３３を切り替え、入力画像処理部１５７による入力処理や入力画像処理部３３５による入力処理をパス（非入力処理／非実行）にする、ことがＨＤＭＩケーブル２０１により、テレビ装置３０１からレコーダ装置１０１に通知される。
【００５５】
レコーダ装置１０１は、ＨＤＭＩケーブル２０１により、テレビ装置３０１からテレビ装置３０１が同一ベンダー内の機器であり、上述の「特定条件」が設定されていることを（ＨＤＭＩ）−ＣＥＣのベンダーコマンドにより受信した場合、セレクタ１５９を切り換えてＢｔ６０１（ＹＣｂＣｒ）を出力するとともに、テレビ装置３０１に対して画像信号がＢｔ６０１（ＹＣｂＣｒ）であることを（（ＨＤＭＩ）−ＣＥＣのベンダーコマンドにより）報知する。
【００５６】
このように、ＨＤＭＩ−ＣＥＣのベンダーコマンドを用いて、ソース機器（レコーダ装置）がシンク機器（テレビ装置）の仕様（ベンダー）を取得し、同一ベンダー内の装置である、及び有効なリンク設定（「特定条件」）が存在することを把握（検出）できた場合に、セレクタを切り換えてＢｔ６０１（ＹＣｂＣｒ）を出力するとともに、相手方機器に対して画像信号がＢｔ６０１（ＹＣｂＣｒ）であることを（ＨＤＭＩ）−ＣＥＣのベンダーコマンドにより報知することで、画像情報の圧縮と伸張あるいは画像処理のうち、重複する処理をパス（非実行）とし再生映像の品位が劣化することを抑止できる。
【００５７】
図３に、図１に示したＨＤＭＩケーブルにより接続したレコーダ装置とテレビ装置との間のベンダー及び「特定条件」の設定の検出について、説明する。
【００５８】
レコーダ装置１０１の電源がオンされることで、レコーダ装置（ソース機器）１０１がＨＤＭＩケーブル２０１によりシンク機器（テレビ装置３０１）と接続されたことを検出する（ＨＰＤ（Hot Plug Detected））［０１］。なお、電源のオンについては、ＨＤＭＩ−ＣＥＣの特性に従い、テレビ装置３０１の電源がオンされることで、レコーダ装置１０１の電源もオンになる。
【００５９】
レコーダ装置１０１は、ＨＤＭＩケーブル２０１を通じ、テレビ装置３０１のＥＤＩＤを読み込み、（テレビ装置３０１が）同一ベンダー（限定された機器相互間で特定の仕様が確保されている）内の装置であることを取得する［０２］。
【００６０】
レコーダ装置１０１は、テレビ装置３０１のリンク設定の有無の確認要求を、ベンダーコマンドによりテレビ装置３０１に送る［０３］。
【００６１】
テレビ装置３０１は、リンク設定（「特定条件」）の有無（実質的に「特定条件」設定が有る場合にその通知）を、ベンダーコマンドによりレコーダ装置１０１に通知する［０４］。
【００６２】
図４に、図３に示したシーケンスを、レコーダ装置を主体として、ソフトウエア的に示す。
【００６３】
レコーダ装置（ソース機器）１０１において、テレビ装置３０１が（ＨＤＭＩ−）ＣＥＣケーブル２０１により接続されていることを検出する［１１］。
【００６４】
レコーダ装置１０１は、テレビ装置３０１のＥＤＩＤを、（ＨＤＭＩ−）ＣＥＣケーブル２０１により取得する［１２］。
【００６５】
レコーダ装置１０１はさらに、（テレビ装置３０１が）同一ベンダー内であること、及び有効なリンク設定（「特定条件」）が存在することを検出する［１３］。
【００６６】
テレビ装置３０１が同一ベンダーに属すること及び有効なリンク設定（「特定条件」）が存在することを把握（検出）できた場合［１３−ＹＥＳ］、セレクタを切り換え、Ｂｔ６０１（ＹＣｂＣｒ）を出力するとともに、相手方機器に対して画像信号がＢｔ６０１（ＹＣｂＣｒ）であることを（ＨＤＭＩ）−ＣＥＣのベンダーコマンドにより報知する［１４］。なお、テレビ装置３０１が同一ベンダーに属さない場合［１３−ＮＯ］、通常の変換処理が行われる［１５］。
【００６７】
図５に、図３に示したシーケンスを、テレビ装置を主体としてソフトウエア的に示す。
【００６８】
テレビ装置（シンク機器）３０１は、レコーダ装置（ソース機器）１０１からの入力画像信号が、ＨＤＭＩ−ＣＥＣケーブル２０１を通じて供給されていることを検出する［２１］。
【００６９】
テレビ装置３０１は、レコーダ装置１０１（入力画像信号供給元）が同一ベンダー内の装置であることを（ＨＤＭＩ−）ＣＥＣにより検出し、リンク設定（「特定条件」）の設定が可能であること、及び（設定可能である場合に、）リンク設定（「特定条件」）が設定されていることをチェックする［２２］。
【００７０】
レコーダ装置１０１が同一ベンダー内の装置であり、リンク設定（「特定条件」）が設定されていることがチェックできた場合［２２−ＹＥＳ］、レコーダ装置１０１からの画像信号がＢｔ６０１（ＹＣｂＣｒ）信号であることに対応可能に、セレクタ３３３を切り換え、レコーダ装置１０１からのＢｔ６０１（ＹＣｂＣｒ）信号を、直接ＲＧＢ信号に変換し［２３］、映像を再生する［２４］。
【００７１】
レコーダ装置１０１が同一ベンダーに属する機器ではないことを検出した場合［２２−ＮＯ］、通常の変換処理ののち［２５］、映像を再生する［２４］。
【００７２】
すなわち、図３に示したシーケンスあるいは図４及び図５に示したルーチンに従い、シンク機器（テレビ装置）が同一ベンダーに属することをレコーダ装置（ソース機器）において検出でき、かつ有効なリンク設定（「特定条件」）が存在することを検出できた場合に、レコーダ装置１０１からテレビ装置３０１へ供給する画像信号を、Ｂｔ６０１（ＹＣｂＣｒ）に固定することで、画像処理の繰り返しにともない、（画像処理時の）演算により微小データが失われることを抑止でき、シンク機器（テレビ装置）において色情報が変化して、再生映像の品位が劣化することを避けることができる。
【００７３】
図６は、図１に示したＨＤＭＩケーブルにより接続するソース機器（レコーダ装置）として利用可能な記録再生装置の構成の一例を示す。
【００７４】
レコーダ（記録再生装置）６０１は、チューナ６０２、入力回路６０３、ＤＳＰ（デジタルシグナルプロセッサ）６０４、記録装置６０５、出力回路６０６、ユーザ操作入力部（リモコン信号受信回路）６０７、電源部６０８、及びＨＤＭＩ処理部６０９（図１に示したＨＤＭＩインタフェース部１６１に相当）と接続するポート６８１を少なくとも含む。
【００７５】
チューナ６０２は、アンテナ端子６２１に接続されるアンテナまたは光ケーブル等を介して、録画対象の番組を放送するチャンネルを選局する。
【００７６】
入力端子６０３は、ビデオ（Viedo）入力端６３１およびオーディオ（Audio）入力端６３２を経由して入力されるビデオ（動画）信号およびオーディオ（音声）信号を、受けつける。
【００７７】
ＤＳＰ（シグナルプロセッサ）６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、信号処理部６４７（図１に示した画像処理・変換部１５５に相当）、セレクタ６４８（図１では、１５９）、ＥＰＧ（Electric Program Guide）処理部６４９等の要素を、少なくとも含む。なお、ＤＳＰ（シグナルプロセッサ）６０４が図１に示す信号処理モジュール１５１に相当し、第１または第２の記録再生モジュール１３１、１４１から入力される画像データＢｔ７０９（ＹＰｂＰｒ）を、Ｂｔ６０１（ＹＣｂＣｒ）に変換し、所定の画像処理ののち再びＢｔ７０９（ＹＰｂＰｒ）に変換して出力回路６０６及び（インタフェース６４４を経由して）ＨＤＭＩインタフェース部６０９（図１の１６１）に出力する。なお、ＨＤＭＩインタフェース部６０９を介して接続される表示装置（テレビ装置）が同一ベンダー（限定された機器相互間で特定の仕様が確保されている）内の装置であり、かつ有効なリンク設定（「特定条件」）が存在することを検出できた場合には、セレクタ６４８（図１の１５９）を切り換え、テレビ装置へ供給する画像信号を、Ｂｔ６０１（ＹＣｂＣｒ）に固定する。これにより、画像処理の繰り返しにともない、（画像処理時の）演算により微小データが失われることを抑止でき、シンク機器（テレビ装置）において色情報が変化して、再生映像の品位が劣化することを避けることができる。
【００７８】
主制御装置（ＣＰＵ）６４０は、上述した各要素の動作、および電源部６０８の主電源（内部制御用２次回路を除く）のオン／オフを制御する。
【００７９】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００８０】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００８１】
エンコーダ６４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【００８２】
インタフェース６４４は、記録装置５との間のデータの受け渡し、あるいはリモコン信号受光回路６０７からの制御信号の入力に利用される。ＨＤＭＩ処理部６０９には、ＨＤＭＩ端子６８１を介して、例えば図７（図１）に一例を示すテレビ装置（映像表示装置）３０１、もしくはハブが接続される。なお、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子６８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。なお、インタフェース６４４に、上述のＨＤＭＩ処理部６０９が接続されるが、ＨＤＭＩ処理部６０９は、ネットワークコントローラ６４１に接続されてもよい。
【００８３】
デコーダ６４５は、ＭＰＥＧ−２あるいはＭＰＥＧ−４（Ｈ．２６４−ＡＶＣ））等に圧縮された番組を、デコードする。
【００８４】
ユーザインタフェースグラフィック処理部（ＧＵＩ処理部）６４６は、出力回路６０６を経由して映像出力端６６１とオーディオ出力端６６２に接続されるモニタ装置６６３に表示させるＧＵＩ（グラフィックインタフェース）画面表示を出力する。
【００８５】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１（図１における第２の記録装置１４１）の所定の領域に保存される。
【００８６】
記録装置６０５は、ＨＤＤ６５１に加え、例えばディスクドライブ装置６５２（図１における第１の記録装置１３１）を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００８７】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００８８】
リモコン信号受光回路６０７は、リモコン受光部６７１において受け付けたユーザ操作入力を、インタフェース６４４を経由して、ＣＰＵ（主制御装置）６４０に入力する。
【００８９】
電源部６０８は、ＣＰＵ６４０の制御により主電源がオフ可能であり、図示しないタイマ部にセットされた予約時間が到来した時点で主電源をオンし、上述した各要素の動作を、動作可能状態に維持する。
【００９０】
図７は、図１に示したＨＤＭＩケーブルにより接続するシンク機器（テレビ装置）として利用可能な映像表示装置の構成の一例を示す。
【００９１】
テレビ受信装置７１１は、映像信号（ビデオデータ）に対応する映像を表示する映像表示器７１３、例えばスピーカ等に代表される音声再生装置であって、音声出力（オーディオデータ）を再生する音声再生器７１５、ユーザからの制御指示（制御入力）信号を受け入れる操作部７１７、ユーザからのリモコン装置Ｒによる操作情報（制御入力）信号を受けつけるリモコン受信部７１９、および制御ブロック（制御部）７６０等を含む。なお、映像表示器（ディスプレイ装置）７１３は、例えば液晶パネル装置であって、付属する照明装置７２５からの照明光（バックライト）を選択的に透過することにより、映像を表示する。また、照明装置７２５は、点灯回路７２７により、周囲の明るさや、連続して点灯されている時間と非点灯時間との差すなわち照明装置７２５の温度に基づいて規定される所定の駆動電圧で点灯される。
【００９２】
制御部７６０は、ＣＰＵまたはＭＰＵ（Main Processing Unit）とよばれる主制御装置（主制御用大規模ＩＣ（ＬＳＩ））７６１を、含む。
【００９３】
制御部７６０（主制御装置７６１）は、操作部７１７からの操作入力、またはリモコン装置Ｒから送出された操作情報を受信部７１９により受信した（リモコン入力）制御信号、もしくはネットワーク接続部（通信インタフェース）７７３を介して外部から供給される情報およびデータに対応して、以下に説明する各部（要素）を、制御する。
【００９４】
制御部７６０はまた、主制御装置７６１が実行する制御プログラムを保持したＲＯＭ（Read Only Memory）７６２、主制御装置７６１の作業エリアを提供するＲＡＭ（Random Access Memory）７６３、各種の設定情報や制御情報ならびに上述のＨＤＭＩ接続において変更された入力切換連携仕様、あるいはネットワーク接続部７７３を介して外部から供給される情報および録画予約情報などのデータ等を保持する不揮発性メモリ（Non Volatility Memory，ＮＶＭ）７６４、およびＨＤＤ７６５を、含む。
【００９５】
なお、ＮＶＭ７６４は、ネットワーク接続部７７３を経由して取り込まれ、制御部７６０を経由してメッセージや解読されたスケジュール情報等も保持する。
【００９６】
制御部７６０には、半導体メモリであるカード状媒体（メモリカード）Ｍからの情報の読み出しとメモリカードＭへの情報の書き込みを可能とするカード＿ＩＦ７７１、ネットワーク接続部（通信＿ＩＦ）７７３、ＨＤＭＩ処理部７７４（図１に示したＨＤＭＩインタフェース部１５１に相当）と接続するポート７８２、光ディスクＤからの情報すなわち動画データやオーディオ（音声）データの読み出しと光ディスクへの情報の書き込みに用いられるディスクドライブ装置７７５、ＵＳＢ＿Ｉ／Ｆ（インタフェース）、およびｉ．Ｌｉｎｋ＿Ｉ／Ｆ（インタフェース）７７７等の任意数のＩ／Ｆ（インタフェース）群が接続され、それぞれのインタフェースに適合する外部装置、あるいはハブ（拡張装置）もしくはネットワーク制御装置として機能する。
【００９７】
カード＿Ｉ／Ｆ７７１は、カードホルダ７７２に装着されるメモリカードＭから、映像および音声ファイルを読み込むことができ、また、メモリカードＭに、映像および音声ファイルを書き込むことができる。
【００９８】
通信＿Ｉ／Ｆ７７３は、ＬＡＮ端子（ポート）７８１と接続され、イーサネット（登録商標）規格に従い、外部装置、例えば図示しないが携帯端末装置やモバイルＰＣを介して、あるいはリモコン装置から供給される制御情報や動画データを受け入れる。なお、通信＿Ｉ／Ｆ７７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内蔵のＤＶＤレコーダ等の機器の接続が可能である。
【００９９】
ＨＤＭＩ処理部７７４には、ＨＤＭＩ端子７８２を介して、例えば図６（図１）に一例を示したレコーダ（記録再生装置）１０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【０１００】
ディスクドライブ装置７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器７１３に表示可能に出力する。
【０１０１】
ＵＳＢ＿Ｉ／Ｆ７７６は、ＵＳＢポート７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ７７６に対応する携帯電話、デジタルカメラ、メモリカードに対するカードリーダ／ライタも接続可能であることはいうまでもない。
【０１０２】
ｉ．Ｌｉｎｋ＿Ｉ／Ｆ７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【０１０３】
なお、詳述しないが、個々のインタフェースに加えて、もしくは任意の１または複数のインタフェースに代えて、例えばＤＬＮＡ（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【０１０４】
制御部７６０は、タイマーコントローラ（時計部）７９０を含む。時計部９０は、時刻や、ユーザからの入力により設定される予約録画のための予約時刻（日時）と録画対象チャンネル等の情報を管理するとともに、その情報を保持可能である。なお、時計部７９０は、地上波デジタルチューナ７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ７５２により受信するアナログアナログ放送の所定のチャンネルからも、毎日、所定の時間に時報を取得可能であることはいうまでもない。また、時計部７９０は、携帯端末装置から供給されるスケジューラ機能やメッセンジャ機能のための情報に対する計時部としても機能する。なお、時計部７９０は、スケジューラ機能およびメッセンジャ機能により規定される所定の時刻において、電源部７９１による、商用電源に対する電源のオン／オフ（通電）を制御できることはいうまでもない。すなわち、コンセントが抜かれている等の物理的に通電が困難な状況下以外においては、映像表示器７１３や信号処理部７４７あるいはＨＤＤ等の電力消費の比較的大きな要素を除く、制御部７６０等への２次電源（ＤＣ（直流）３１Ｖ、あるいは２４Ｖもしくは５Ｖ等）は、通常確保されており、予め規定された時刻に映像表示器７１３や信号処理部７４７あるいはＨＤＤ７６５等が起動されることは、いうまでもない。
【０１０５】
なお、信号処理部７４７が図１に示す信号処理モジュール３３１に相当し、入力画像データＢｔ７０９（ＹＰｂＰｒ）をＢｔ６０１（ＹＣｂＣｒ）に変換し、所定の画像処理を実行したのちＲＧＢに変換し、映像表示器７１３（前段のグラフィック処理部７５４）に出力する。
【０１０６】
また、ＨＤＭＩインタフェース部７７４（図１における３２１）を介して接続されるレコーダ装置（記録再生装置）が同一ベンダー（限定された機器相互間で特定の仕様が確保されている）内の装置であり、かつ有効なリンク設定（「特定条件」）が存在することを検出できた場合には、セレクタ３３３を切り換え、レコーダ装置からＢｔ６０１（ＹＣｂＣｒ）を、直接受け取る。これにより、画像処理の繰り返しにともない、（画像処理時の）演算により微小データが失われることを抑止でき、シンク機器（テレビ装置）において色情報が変化して、再生映像の品位が劣化することを避けることができる。
【０１０７】
以上説明したように、実施形態を適用することで、前段の装置による一定条件の変換処理時と後段の装置における一定条件の変換処理によって画質への影響が生じることが防止でき、色再現性の良好な画像出力が得られる。
【０１０８】
また、画像変換の精度が向上し、色情報に損失が生じることが防止される。
【０１０９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１０】
１０１…記録再生装置（レコーダ装置／ソース機器）、１５１…信号処理モジュール、１５３…入力画像処理部、１５５…画像処理・変換部、１５７…出力画像処理部、１５９…セレクタ、１６１…双方向通信インタフェース（ＨＤＭＩ−ＣＥＣ）部、２０１…双方向通信インタフェース（ＨＤＭＩ−ＣＥＣ）ケーブル、３０１…映像表示装置（テレビ装置／シンク機器）、３２１…双方向通信インタフェース（ＨＤＭＩ−ＣＥＣ）部、３３１…信号処理モジュール、３３３…セレクタ、３３５…入力画像処理部、３３７…画像処理・変換部、３３９…出力部。
【図１】
2013051525.tif 000003
【図２Ａ】
2013051525.tif 000004
【図２Ｂ】
2013051525.tif 000005
【図３】
2013051525.tif 000006
【図４】
2013051525.tif 000007
【図５】
2013051525.tif 000008
【図６】
2013051525.tif 000009
【図７】
2013051525.tif 000010